(57)【要約】【課題】情報機器を回収して輸送する上で適した輸送箱を提供する。また、強度、収納品の明確化、わかり易さ、欠品、収納忘れなどの牽制効果を図る上で好適な輸送箱を提供する。【解決手段】輸送箱は、外箱と内箱とを有し、当該内箱は、仕切り材と同様な機能を有する枠体を含み、機器本体を収容する下側内箱、仕切り材、緩衝材と同様な機能を有する片を含み、付属品を収容する上側内箱とで構成した。【選択図】図８
2015221672.tif 000002
【特許請求の範囲】
【請求項１】
情報機器を収容して輸送する輸送箱において、
ダンボールからなる外箱及びダンボールからなる内箱からなり、
前記内箱は、
当該外箱の下側に収納され、機器本体を収容する折り曲げ組立式の下側内箱、当該下側内箱の上側に収納され、付属品を収容する折り曲げ組立式の上側内箱を有し、
前記下側内箱は、
四角形のダンボール材からなり、当該ダンボールの中央部に位置し、機器本体が載置されて収容される機器本体収容部、当該機器本体収容部を取り囲むようにして機器本体を収容可能なスペース、当該機器本体を上側から抑え付けるように形成されて上下の仕切り板機能を有する枠体、を有し、
前記上側内箱は、
細長四角片のダンボールからなり、当該ダンボールの細長四角片の中央部に位置し、第１の付属品が収容される第１の付属品収容部、当該中央部の左右に所定の距離を置いて位置し、第２、第３の付属部品が収容される第２、第３の付属品収容部、を有し、
前記第1の付属品収容部の両側には、谷折り線を有し、当該谷折り線を谷折りしたとき、当該第２、第３の付属品収容部が立ち上がり、当該第２、第３の付属品収容部により第１の付属品収容部を両側から囲むようにして当該第１の付属品が収容可能なスペースを構成し、かつ当該スペースを構成する第１の付属品収容部と第２、３の付属品収納部との間の一片が当該第１、第２、第３の付属品収容部との仕切り板となるように構成し、
また、前記第２、第３の付属品収容部の両側には、山折り線を有し、当該山折り線を山折りしたとき、当該第２、第３の付属品が収容可能なスペースを構成し、
前記第２、第３の付属品収容部の上面には、前記第２、第３の付属品が収納可能なスペースに差し込み可能とする切込みを形成した
ことを特徴とする輸送箱。
【請求項２】
請求項１に記載の輸送箱において、さらに、
前記細長四角片と中央部から延びた四角片との間に位置し、第４の付属部品が収容される第４の付属品収容部、当該第４の付属品収容部の前記第１の付属品収容部側には、２つの谷折り線を有し、当該谷折り線を谷折りしたとき、当該第４の付属品が収容可能なスペースを構成した
ことを特徴とする輸送箱。
【請求項３】
請求項１又は２に記載の輸送箱において、前記本体収容部及び前記第１、第２、第３、第４の付属品収容部には、収納位置を明示した印刷、又はシールを貼り付けた
ことを特徴とする輸送箱。
【発明の詳細な説明】
【技術分野】
【０００１】
本発明は、情報機器本体や複数の付属品などを収容して輸送、又は、これらを回収、収容して輸送するときに使用して好適な輸送箱に関する。
【０００２】
更に詳しくは、例えば、平面型のディスプレイ（液晶）を含むＰＣ本体、例えばタブレットＰＣ本体及びその付属品であるタブレットＰＣ本体のディスプレイを立て掛けて使用可能な状態とする筐体、タブレットＰＣ本体のディスプレイを所定の傾斜角度で保持して使用可能な状態とする置台、マウス、キーボード、電源コード、ＡＣアダプタ、などの専用業務を実施するような事業者、例えば、保険会社などの保険外交員に賃貸（貸出）し、当該賃貸したタブレットＰＣ本体や複数の付属品を収容（梱包）して回収し、輸送するときに使用して好適な輸送箱に関する。
【背景技術】
【０００３】
本技術分野の背景技術として、特開２０１２−５６５８４号公報（特許文献１）がある。この公報には、「互いに対向する一対の端壁と、前記一対の端壁に連接されて互いに対向する一対の側壁とから四角筒状の箱体が形成され、前記各側壁の下縁に設けられた下部外フラップと、前記各端壁の下縁に設けられた下部内フラップとが封緘されて下部開閉面が構成され、前記各側壁の上縁に設けられた上部外フラップと、前記各端壁の上縁に設けられた上部内フラップとが封緘されて上部開閉面が構成された段ボールからなる輸送箱において、前記一対の端壁のうち少なくとも一方の端壁には、前記箱体の内外を連通する取り出し孔が形成され、前記取り出し孔の周縁には、該取り出し孔を開閉する蓋が設けられ、前記蓋が、前記取り出し孔を閉鎖する位置（以下、閉鎖位置という）に位置する際に、前記上部内フラップが前記蓋を係止し、前記蓋が閉鎖位置に位置する際に、前記蓋を閉鎖位置に保持する保持手段が、前記蓋と箱体の間に設けられていることを特徴とする輸送箱。」をもって、「段ボール製の輸送箱が工場から運ばれる際には、ピッキング用の取り出し孔を蓋により安定して閉鎖することができるとともに収納された物品が外部に出ることはなく、受け入れた側においてピッキングする場合、端壁に設けられた取り出し孔を介して収納された物品を容易にピッキングすることができる輸送箱を提供する」と記載されている。
【先行技術文献】
【特許文献】
【０００４】
【特許文献１】特開２０１２−５６５８４号公報
【発明の概要】
【発明が解決しようとする課題】
【０００５】
前記特許文献１には、物品を収容、輸送するための輸送箱（通い箱）の構成が記載されている。しかし、特許文献１の輸送箱を含め、従来の輸送箱は、物品（端末）の本体、付属品を梱包し、物品を使用する側に輸送するためのものであって、これらを回収して輸送することまでは特に考慮されていない。
【０００６】
このように物品を単に輸送するのみの輸送箱であれば、物品を輸送する側の物品輸送主が責任をもって梱包して物品を使用する側の顧客に輸送すれば足り、特に問題になることはない。しかし、物品輸送主、例えば賃貸する側の管理会社が顧客側に物品を一度納入した後、顧客側が用済みとなった場合、顧客側に当該使用済みの物品の梱包、輸送を依頼して輸送業者（運輸業者）を介して管理会社側に返品（管理会社側から見て物品の回収）して貰うような場合までは考慮されていない。
【０００７】
このような場合、顧客側（物品を返却する側）が、管理会社側（物品を回収する側）から一度納入したものをそっくり梱包して回収箱（輸送箱）に収容して返却してくれれば特に問題になることはない。しかし、当該物品を輸送箱にて返却する顧客側にとっては、当該物品を賃貸してから日時が経っているような場合であって、特にその付属品で未使用の付属品が有るような場合、その存在を忘れ、又は紛失、廃棄してしまうことが見受けられる。このような場合、顧客側と、輸送業者側と、管理会社側との間でいろいろな問題が発生する。
【０００８】
例えば、顧客側が物品を返却する際、付属品の存在を失念していて、物品を梱包して輸送箱に収容して返却したつもりでいても、回収する側にて梱包箱を開梱したとき、はじめて付属品の欠品に気が付くような場合がある。
【０００９】
そして、両者の梱包、開梱、に時間差が生じることから、どちら側に問題があったのか曖昧となって、返却する側と回収する側との間で付属品などの不足に対する責任問題のトラブルが多発している。まして、両者間に輸送業者が介在する場合はなおさらである。
【００１０】
その理由の一因として、返却する側において、複数の付属品があるにも拘らず、その中で使用しない付属品があり、当該使用しない付属品の保管場所の失念や紛失、破損などで不用品として廃棄したりして、その所在が不明となり、梱包できない状況が発生することが考えられる。
【００１１】
換言すれば、従来の輸送箱は、当該物品回収時に賃貸物品を正しく回収することを可能とした梱包を含む搬送箱の構成まで考慮されていないことから、例えば、以下のような課題があった。
【００１２】
本来の物流業者タスク以上の業務、つまり物品回収時における物流業者における梱包作業、物品破損や紛失確認、チェックなど、作業負担が大きい。
（１）顧客による付属部品の収容・収納方法が明確でなく、付属品収納が乱雑すること
（２）収納漏れが発生し欠品の場合、輸送業者及び管理会社に紛失部品の補償費用が発生すること
（３）輸送中の本体、付属品破損の恐れを指摘されること
【００１３】
そこで、本発明は、情報機器を回収して輸送する上で適した輸送箱を提供する。
また、強度、収納品の明確化、わかり易さ、欠品、収納忘れなどの牽制効果を図る上で好適な輸送箱を提供する。
【課題を解決するための手段】
【００１４】
上記課題を解決するために、本発明の輸送箱は、外箱と内箱とを有し、当該内箱は、仕切り材と同様な機能を有する枠体を含み、機器本体を収容する下側内箱、仕切り材、緩衝材と同様な機能を有する片を含み、付属品を収容する上側内箱とで構成したものである。
【００１５】
例えば、本願発明の輸送箱は、
ダンボールからなる外箱及びダンボールからなる内箱からなり、
前記内箱は、
当該外箱の下側に収納され、機器本体を収容する折り曲げ組立式の下側内箱、当該下側内箱の上側に収納され、付属品を収容する折り曲げ組立式の上側内箱を有し、
前記下側内箱は、
四角形のダンボール材からなり、当該ダンボールの中央部に位置し、機器本体が載置されて収容される機器本体収容部、当該機器本体収容部を取り囲むようにして機器本体を収容可能なスペース、当該機器本体を上側から抑え付けるように形成されて上下の仕切り板機能を有する枠体、を有し、
前記上側内箱は、
細長四角片（当該細長四角片の中央部から垂直方向に延びた四角片を含む凸型）のダンボールからなり、当該ダンボールの細長四角片の中央部に位置し、第１の付属品が収容される第１の付属品収容部、当該中央部の左右に所定の距離を置いて位置し、第２、第３の付属部品が収容される第２、第３の付属品収容部、を有し、
前記第１の付属品収容部の両側には、谷折り線を有し、当該谷折り線を谷折りしたとき、当該第２、第３の付属品収容部が立ち上がり、当該第２、第３の付属品収容部により第１の付属品収容部を両側から囲むようにして当該第１の付属品が収容可能なスペースを構成し、かつ当該スペースを構成する第１の付属品収容部と第２、３の付属品収納部との間の一片が当該第１、第２、第３の付属品収容部との仕切り板となるように構成し、
また、前記第２、第３の付属品収容部の両側には、山折り線を有し、当該山折り線を山折りしたとき、当該第２、第３の付属品が収容可能なスペースを構成し、
前記第２、第３の付属品収容部の上面には、前記第２、第３の付属品が収納可能なスペースに差し込み可能とする切込みを形成した
ことを特徴とする。
【００１６】
また、本発明の輸送箱は、さらに、前記細長四角片と中央部から延びた四角片との間に位置し、第４の付属部品が収容される第４の付属品収容部、当該第４の付属品収容部の前記第１の付属品収容部側には、２つの谷折り線を有し、当該谷折り線を谷折りしたとき、当該第４の付属品が収容可能なスペースを構成した
ことを特徴とする。
【００１７】
また、本発明の輸送箱は、前記本体収容部及び前記第１、第２、第３、第４の付属品収容部には、収納位置を明示した印刷、又はシールを貼り付けた
ことを特徴とする。
【発明の効果】
【００１８】
本発明によれば、顧客側に賃貸した情報端末を回収して輸送する場合、回収品（機器本体、及び付属品）の回収漏れなどを軽減することができる。
【００１９】
例えば、顧客側での梱包時における付属品の梱包忘れ、顧客側から回収した梱包品の有無の確認が容易となり、回収時における梱包作業工数低減を図ることができる。
上述した以外の課題、構成及び効果は、以下の実施形態の説明により明らかにされる。
【図面の簡単な説明】
【００２０】
【図１】図１は、本発明の輸送箱に収容する情報機器の一使用形態を示す図である。
【図２】図２は、本発明の輸送箱の外箱の側面を示す図である。
【図３】図３は、本発明の輸送箱の外箱の上面を示す図である。
【図４】図４は、本発明の輸送箱の外箱の上面蓋の一部を開いた状態を示す図である。
【図５】図５は、本発明の輸送箱の外箱の上面蓋の一部を開き、一部を閉じた状態を示す図である。
【図６】図６は、本発明の内箱の下側内箱を外箱の中に収容した状態を示す図である。
【図７】図７は、本発明の内箱の上側内箱の構成を示す図である。
【図８】図８は、上側内箱を外箱の中に収容した状態を示す図である。
【図９】図９は、上側内箱の付属品収容部に付属品を収容した状態を示す図である。
【図１０】図１０は、下側内箱を構成するダンボールの上面図である。
【図１１】図１１は、上側内箱を構成するダンボールの上面図である。
【発明を実施するための形態】
【００２１】
以下、実施例を、図面を用いて説明する。本実施例では、輸送箱としてタブレットパソコン(以下、タブレットＰＣと称する)、を輸送する輸送箱として説明する。
【実施例】
【００２２】
図１は、本発明の輸送箱に収容する情報機器の一使用形態を示す図である。
同図において、情報機器のタブレットＰＣは、タブレットＰＣ本体２、複数の付属品３〜８、を有する。
【００２３】
複数の付属品は、例えば、タブレットＰＣ本体２のディスプレイを立て掛けて使用可能な状態とする筐体３、タブレットＰＣ本体２のディスプレイを所定の傾斜角度で保持して使用可能な状態とする置台４、マウス５、電源コード６（図９参照）、ＡＣアダプタ７（図９参照）、キーボード８などである。
【００２４】
ここで、情報機器を使用する上で、筐体３、置台４、は、必ずしも利用する必要はなく、利用者によって、最初から使用することなく、机の引き出しなどに仕舞い込んで失念することが多々見受けられる。
【００２５】
斯様な情報機器を顧客側に貸出し、当該貸し出した情報機器を回収する場合、上述したような課題がある。本発明は、係る課題を是正するものである。
以下、本発明の輸送箱の一実施例について説明する。
【００２６】
図２〜図５は、本発明の輸送箱１を構成する外箱１０の外観を示す図である。
【００２７】
そして、図２は、輸送箱の外箱１０の側面を示す図、図３は、輸送箱の外箱１０の上面を示す図、図４は、輸送箱の外箱１０の上面蓋の一部を開いた状態を示す図、図５は、輸送箱の外箱１０の上面蓋の一部を開き、一部を閉じた状態を示す図である。
【００２８】
同図において、輸送箱１は、ダンボールからなり、外箱１０、内箱２０（図６参照）、を有する。輸送箱の梱包箱構成は、例えば、縦：４１５ｍｍ、横：３８０ｍｍ、高：２３０ｍｍ、外箱（箱本体）、内箱（端末固定用インナー、仕切り板）構成とする。
【００２９】
外箱１０は、内箱２０が収納可能なスペースを有する箱型に形成されている。つまり、内箱２０（下側内箱２０１、上側内箱２０２）を収納するスペース１０９を形成する前後左右側面部１０１〜１０４及び上下側面部１０５〜１０６、を有する。内箱２０（下側内箱２０１、上側内箱２０２）の構成については後述する。
【００３０】
外箱１０の前側面部１０１には、図２に示すように、専用ＰＣ共通の回収箱であることを示す輸送箱名、例えば「専用パソコン輸送箱」を示す文字を印刷するか、又はシールを貼り付ける。
【００３１】
後側面部１０２には、図４に示すように、伝票貼り付け位置を示す文字を印刷するか、又はシールを貼り付ける。
【００３２】
上側面部１０６は、上蓋を構成する４つの面部１０６１〜１０６４、を有する。
【００３３】
上側面部１０６の面部１０６１には、図３に示すように、箱は可能な限り使用（リサイクル）したい旨のお願い文、例えば、「この箱は回収時も使用します。支社・営業所殿にて保管願います。」の文字を印刷するか、又はシールを貼り付ける。
【００３４】
また、面部１０６２には、図３に示すように、「機密機器在中」の文字を印刷するか、又はシールを貼り付ける。
【００３５】
また、面部１０６３には、箱の梱包手順やパーテション、例えば、「梱包箱の使い方  梱包品、梱包の方法を示す絵図と説明文」を印刷するか、又はシールを貼り付ける。
【００３６】
面部１０６４には、図５に示すように、梱包する際の注意書き、例えば、梱包前・ＵＳＢキー同梱包禁止などの注意書き「ＵＳＢキーはこの中に絶対に入れず、専用袋（伝票貼り付け済）で別便にて運送業者に引き渡し願います。」を印刷するか、又はシールを貼り付ける。
【００３７】
図６〜図９は、本願発明の内箱２０（下側内箱２０１、上側内箱２０２）の構成を示す図である。
【００３８】
そして、図６は、内箱２０の下側内箱２０１を外箱の中に収容した状態を示す図、図７は、内箱２０の上側内箱２０２の構成を示す図、図８は、上側内箱２０２を外箱の中に収容した状態を示す図、図９は、上側内箱２０２の付属品収容部に付属品を収容した状態を示す図である。
【００３９】
まず、内箱２０の役割は、使用者が使用するタブレットＰＣ本体２、その付属品であるタブレットＰＣ本体のディスプレイを立て掛けて使用可能な状態とする筐体３、タブレットＰＣ本体のディスプレイを所定の傾斜角度で保持して使用可能な状態とする置台４、マウス５、電源コード６、ＡＣアダプタ７、キーボード８などの収容、確認及びこれらの梱包作業の効率化にある。
【００４０】
同図において、下側内箱２０１は、図６に示すように、外箱１０のスペース１０９に収納される。
【００４１】
そして、下側内箱２０１は、四角形のダンボールからなり、当該ダンボールの中央部に位置し、物品本体が載置されるように収容される本体収容部２０１５を構成する折り曲げ組立式の本体抑え枠体２０１１〜２０１４を有する。
【００４２】
ＰＣ本体抑え枠体２０１１〜２０１４は、当該本体収容部２０１５を取り囲むようにしてタブレットＰＣ本体２を収容可能なスペースを構成し、当該スペースにＰＣ本体２を収容したとき、当該本体を上側から抑え付けてＰＣ本体２が振動などによりずれ、損傷しないような構成とする。
【００４３】
ＰＣ本体２を本体収容部２０１５に収容する場合は、ＰＣ本体２をインナーケース（図示せず）に入れて収容するとよい。この下側内箱２０１の折り曲げ組み立てについては後述する。
ここで、枠体２０１１〜２０１４は、ＰＣ本体２の収容時にＰＣ本体のずれ防止の他に上側内箱との仕切り材の機能も兼ねている。
【００４４】
上側内箱２０２は、中央部、その両側部、及び中央上側部に位置して付属品を収納する付属品収容部２０２１〜２０２４、を有する。
【００４５】
中央部に位置する付属品収容部２０２１には、例えば、付属部品の一つである筐体３が収容され、両側部に位置する付属品収納部２０２２、２０２３には、例えば、付属部品の一つである置台４、マウス５、電源コード６、ＡＣアダプタ７、などが収容される。
【００４６】
また、中央上側部に位置する付属品収容部２０２４には、付属品の一つであるキーボード８が収容される収容部２０２４、を有する。
【００４７】
そして、各付属品収納部の表面には、図８に示すように、付属品の収納位置を明確化する絵図や文字などを印刷するか、又はシールなどを貼り付けて表示する。
【００４８】
例えば、図７、図８に示すように、付属品収容部２０２１には、「筐体を置いてください（置台は外してください）」、付属品収容部２０２２には、「置台を差し込んで下さい」、付属品収容部２０２３には、「マウス」、「電源コード」、「ＡＣアダプタ」、付属品収容部２０２４には、「キーボードを立てかけてください」、などの文字説明と絵図を付す。これにより、欠品、収納忘れなどの喚起、わかり易さを担保する。
【００４９】
また、置台４を収容する付属品収容部２０２２、及びマウス５、電源コード６、ＡＣアダプタ７、などを収容する付属品収容部２０２３には、ダンボール仕切り板（後述する片２０２４、２０２６、また２０２５、２０２７）により中空（スペース）２０２２１、２０２３１ができるような形状とし、当該中空をもってクッション機能を有するように構成する。
【００５０】
このクッション機能により外箱１０などに衝撃が加えられたときなど、当該衝撃による振動を吸収可能とし、収納される付属品の強度を担保する。
【００５１】
また、付属品収容部２０２２、２０２３の上面には、付属品の置台４、マウス５、電源コード６、ＡＣアダプタ７、などが、中空内に差し込み可能とするために切込み線２０２２２、２０２３２、を形成する。
【００５２】
そして、図９に示すように、各付属品３〜８を差し込むようにして、その一部をスペース内に収容する。このとき、切込み線を入れた切欠き片により各付属品を挟持し、動かないようにする。
【００５３】
図１０は、内箱２０の下側内箱２０１を構成するダンボール２０１０の形状（組み立てする前の状態）を示す図である。
【００５４】
同図において、内箱２０の下側内箱２０１は、略四角形のダンボール材２０１０からなる。そして、ダンボール材２０１０の中央部には、外箱１１０の中空部に装着可能な大きさの四角形のＰＣ本体載置面２０１０１を有する。
【００５５】
当該載置面２０１０１の上下側には、それぞれ２つの山折り線２０１０２、２０１０３、が形成されている。
【００５６】
また、当該載置面２０１０１の左右側には、それぞれ山折り線２０１０４、２０１０５、山折り線２０１０２、２０１０３の両端部と接するＹ字状の山折り線２０１０６、２０１０７、が形成されている。
【００５７】
そして、これらの山折り線を折ることにより、当該載置面２０１０１の上下、左右の片が枠体２０１１〜２０１４となるように構成し、当該枠体により、下側内箱２０１の中央部（当該載置面２０１０１）にＰＣ本体２を収容するスペースを確保する本体収納部２０１１を構成する（図６参照）。
【００５８】
図１１は、内箱２０の上側内箱２０２を構成するダンボール２０２０の形状（組み立てする前の状態）を示す図である。
【００５９】
同図において、内箱２０の上側内箱２０２は、左右方向に延びた横長の四角形と垂直方向に延びた縦長の四角形のダンボール板を含む凸型のダンボール２０２０、からなる。
【００６０】
上側内箱２０２のダンボール２０２０は、左右に延びた細長の四角形のダンボール板と、当該四角形ダンボール板の中央部から垂直方向（上側）に延びた四角形のダンボール板からなる。
【００６１】
左右に延びた細長の四角形ダンボール板の中央部には、所定の横幅を有する付属品収納部２０２１を区切るような谷折り線２０２０１、２０２０２、を形成してある。
【００６２】
また、中央部の両側部に、所定間隔をもって位置し、所定の横幅を有する付属品収納部２０２２、２０２３、を区切るような谷折り線２０２２１、２０２２２、２０２３１、２０２３２、を形成してある。
【００６３】
また、両側部の付属品収容部２０２２、２０２３の外側の端部には、適当な間隔をおいて２つの谷折り線２０２６１、２０２６２、また２０２７１、２０２７２を形成してある。
【００６４】
そして、これらの谷折り線に沿って谷折りし、当該第２、第３の付属品収容部２０２２、２０２３を立ち上げて、当該第１の付属品収容部２０２１と間、また当該第２の付属品収納部２０２３との間の片２０２８、２０２５をもって壁を構成し、当該壁をもって当該第１の付属品が収容可能なスペースを構成する。
【００６５】
ここで、壁を構成する当該片２０２８、２０２５は、第１の付属品（筐体３）と、第２の付属品（置台４）、第３の付属品（マウス５、電源コード６、ＡＣアダプタ７）との仕切り材を兼用する。
【００６６】
また、谷折り線２０２６１、２０２６２、２０２７１、２０２７２により構成される片２０２６、２０２７をもって当該第２、第３の付属品収容部２０２２、２０２３を取り囲むようにして第２、第３の付属品が収容可能なスペース２０２２１、２０２３１（図７参照）を構成する。
【００６７】
ここで、当該第２、第３の付属品収容部のスペース２０２１、２０２３は、上述した片２０２８、２０２５による壁と共に左右方向の衝撃防止機能を有する。
【００６８】
また、上下方向に延びた四角形のダンボール板の下端（左右方向に延びたダンボール板寄り）には、２つの谷折り線２０２７８を形成してある。
【００６９】
そして、この谷折り線に沿って谷折りし、第４の付属品（キーボード）が収容可能なスペース２０２４１を構成する。
【００７０】
片２０２８、２０２５、また片２０２６、２０２７（端側）には、折り込みのとき、これらの片が係合する切込み２０２８１、２０２５１、２０２６３、２０２７３、を形成してある。
【００７１】
前記第２、第３の付属品収容部の上面には、前記第２、第３の付属品が収納可能なスペースに差し込み可能とする切込み２０２２３、２０２３３、を形成してある。
【００７２】
前記本体収容部及び前記第１、第２、第３、第４の付属品収容部の上面には、収容位置を明示した印刷、又はシールを貼り付けてある。
【００７３】
これらの付属品の配置構成や表示により、付属品の収容、収容欠品、などを容易に目視確認できる。顧客側が本体や付属品を輸送箱に梱包して貸して側に返品する場合、付属品などの返品漏れの有無確認が容易である。また、回収側（輸送業者や貸業者側）も同様である。
【００７４】
上記実施例では、付属品としてキーボードを必要とする情報機器を例に説明しているが、キーボードを必要としない情報機器の輸送箱の場合には、上述した付属品収容部２０２４及び当該収容部に関連する構成は不要である。
【符号の説明】
【００７５】
１    輸送箱
２  機器本体（タブレットＰＣ本体）
３〜８  付属品
１０  外箱
２０  内箱
２０１  下側内箱
２０１５  ＰＣ本体収容部
２０２  上側内箱
２０１１  枠体
２０２１〜２０２４  付属品収容部
【図１】
2015221672.tif 000003
【図２】
2015221672.tif 000004
【図３】
2015221672.tif 000005
【図４】
2015221672.tif 000006
【図５】
2015221672.tif 000007
【図６】
2015221672.tif 000008
【図７】
2015221672.tif 000009
【図８】
2015221672.tif 000010
【図９】
2015221672.tif 000011
【図１０】
2015221672.tif 000012
【図１１】
2015221672.tif 000013